(57)【特許請求の範囲】
【請求項１】
前後に投入口と排出口を有する回転ドラムを回転可能に支持し、前記回転ドラム内には回転ドラムの回転にて塵芥を攪拌しうる攪拌部材を中空保持し、前記回転ドラム内に熱風を供給することにより塵芥を乾燥処理させるようにした攪拌乾燥装置において、前記回転ドラムの内周面には塵芥を移動させるとともに前記排出口から排出させうる螺旋状のブレードを設け、前記ブレードには前記攪拌部材との交差箇所に攪拌部材を通過させうる通過部を形成し、攪拌部材が通過部を通過する際、攪拌部材とブレードとにより塵芥を切断することを特徴とする攪拌乾燥装置。
【発明の詳細な説明】
【０００１】
【発明の属する技術分野】
本発明は、厨芥等の塵芥を攪拌しながら乾燥処理する攪拌乾燥装置に関するものである。
【０００２】
【従来の技術】
従来の攪拌乾燥装置は、特公平４―５１７５６号公報に開示されている如く、回転可能に支持された回転筒内に複数の枝管を突設した加熱空気送管を回転筒の軸線方向に延設してあり、前記回転筒の一端部には塵芥を投入する材料送込管と乾燥処理された塵芥を排出する排出口を設けてある。これにより材料送込管から回転筒内に塵芥を投入し回転筒を回転させると、塵芥が回転筒とともに移動して枝管により攪拌されるとともに、枝管から熱風を吹き出すことにより塵芥を乾燥するようになっている。
【０００３】
【発明が解決しようとする課題】
ところが前記構造にあっては、回転筒内の塵芥の大部分は回転筒内で周方向に移動するだけで排出口側へ移動させて排出することができないという問題がある。これを解決する一般的な方法として、回転筒の内周に螺旋状のブレードを設け、回転筒の回転に伴って前記ブレードを回転させることにより回転筒内の有機物を排出口側へ移動させて排出する方法が考えられる。
【０００４】
しかし前記ブレードを設けた場合、枝管をブレードと干渉しないように短くする必要があるが、枝管を短くすると隣り合うブレード間に滞留した塵芥を攪拌することができなくなり攪拌効率が低下するという問題が生じる。そこで本発明は、塵芥の攪拌効率を低下させることなく、排出作業を迅速に行うことができる攪拌乾燥装置を提供するものである。
【０００５】
【課題を解決するための手段】
本発明は、前後に投入口と排出口を有する回転ドラムを回転可能に支持し、前記回転ドラム内には回転ドラムの回転にて塵芥を攪拌しうる攪拌部材を中空保持し、前記回転ドラム内に熱風を供給することにより塵芥を乾燥処理させるようにした攪拌乾燥装置において、前記回転ドラムの内周面には塵芥を移動させるとともに前記排出口から排出させうる螺旋状のブレードを設け、前記ブレードには前記攪拌部材との交差箇所に攪拌部材を通過させうる通過部を形成し、攪拌部材が通過部を通過する際、攪拌部材とブレードとにより塵芥を切断することを特徴とするものである。これにより回転ドラム内の攪拌効率を低下させることなく、塵芥の排出移動を確実に行うことができる。
【０００６】
【発明の実施の形態】
以下、本発明の実施の形態を図面に基づいて説明する。図１乃至図３において１は塵芥２を乾燥処理する攪拌乾燥装置で、該攪拌乾燥装置１は架台３上に軸支された前後左右のローラ４、４にて回転ドラム５を回転可能に支持してあり、適宜駆動手段（図示せず）により回転ドラム５を周方向（図２時計方向）に回転させうるようになっている。
【０００７】
前記架台３上には前壁６および後壁７とを立設し、回転ドラム５の前端部および後端部を閉止してあり、前壁６にはスクリュコンベアからなる投入口８を設け、後壁７には排出口９を設けてある。前記前壁６には、回転ドラム５内にてその回転中心より斜め上方位置に配置された熱風供給管１０の一端部を支持しており、前記熱風供給管１０に設けられた複数の吹付管１１より回転ドラム５内に熱風を吹き付けて回転ドラム５内の塵芥２を乾燥処理するようになっている。
【０００８】
また前記前壁６には、回転ドラム５内にてその略回転中心線上に配置されたロッド１２の一端部を固定してあり、前記ロッド１２には回転ドラム５内周面近くまで延び、回転ドラム５内の塵芥２を攪拌させる平板状の攪拌部材１３が適宜所定間隔をもうけて垂下固定されている。これにて回転ドラム５の回転に伴って周方向に移動する塵芥２が前記攪拌部材１３にて攪拌されることにより、塵芥２の乾燥効率を高めるようになっている。
【０００９】
前記回転ドラム５の内周には螺旋状のブレード１４を設けてあり、回転ドラム５の回転にて隣り合うブレード１４間に嵌り込んだ塵芥２を順次排出口９側（図１右側）へ移動させるようになっている。前記ブレード１４には、回転ドラム５の回転にて各攪拌部材１３と交差する箇所に通過部である切欠溝１５を形成してあり、回転ドラム５の回転中にブレード１４間の塵芥２を攪拌させる攪拌部材１３の先部が前記切欠溝１５を通過してブレード１４と干渉するのを防止するようになっている。
【００１０】
尚、本実施の形態では攪拌部材１３をロッド１２に固定してあるが、熱風供給管１０に固定するようにしても同様の作用効果を有するものである。また本実施の形態では攪拌部材１３を平板状に形成してあるが、棒状に形成するようにしても良い。さらに本実施の形態では通過部としてブレード１４に切欠溝１５を設けてあるが、ブレード１４を切断して隙間を設け、この隙間を攪拌部材１３が通過するようにしても同様の作用効果を有するものである。
【００１１】
本発明は前記の如き構成で、次に作用について説明する。スクリュコンベアにて塵芥２を回転ドラム５内に投入すると、回転ドラム５の回転に伴って塵芥２は周方向（図２時計方向）に順次移動する。それに対し、攪拌部材１３はロッド１２に垂下固定されていることから塵芥２は攪拌部材１３にて周方向の移動が規制され大きく攪拌される。
【００１２】
その際、攪拌部材１３は固定されているためブレード１４が回転ドラム５とともに回転すると攪拌部材１３と交差しようとするが、攪拌部材１３はブレード１４の切欠溝１５を通過するため、ブレード１４と攪拌部材１３が干渉することはない。ところで、攪拌部材１３の先部は隣り合うブレード１４間に位置しているため、ブレード１４間に嵌り込んだ塵芥２を攪拌することができ、塵芥２の攪拌効率を高めることができる。
【００１３】
また攪拌部材１３が切欠溝１５を通過する際、攪拌部材１３とブレード１４とにより塵芥２を切断するようになっているため、さらに乾燥効率を高めることができる。回転ドラム５内にて乾燥処理された塵芥２はブレード１４に案内されながら移動し、排出口９から排出される。これにより塵芥２の排出移動を迅速に行うことができ、乾燥効率を高めることができる。
【００１４】
【発明の効果】
以上の如く本発明は、攪拌部材を中空保持してなる回転ドラム内に、塵芥を移動排出させうる螺旋状のブレードを設け、前記ブレードには攪拌部材との交差箇所に攪拌部材を通過させる通過部を形成するようにしたので、隣り合うブレード間に嵌り込んだ塵芥を攪拌部材にて攪拌することができ、塵芥の攪拌効率を低下させることなく塵芥の乾燥及び排出移動を迅速に行うことができる。また攪拌部材が通過部を通過する際、攪拌部材とブレードとにより塵芥を切断するようになっているため、さらに乾燥効率を高めることができる。
【図面の簡単な説明】
【図１】  攪拌乾燥装置の全体側面図である。
【図２】  図１のＡ−Ａ断面図である。
【図３】  図１の要部拡大図である。
【符号の説明】
１  攪拌乾燥装置
５  回転ドラム
８  投入口
９  排出口
１３  攪拌部材
１４  ブレード
１５  切欠溝（通過部）
【図１】
0003840358.tif 000002
【図２】
0003840358.tif 000003
【図３】
0003840358.tif 000004